(57)【要約】      （修正有）【課題】速やかに所望サービスを検索する。【解決手段】コントロール部はサービス検索するためにＤＡＢ受信部で受信されたＤＡＢ放送信号中のサービス構成情報をチェックする際、現在放送中のサービスについてのサービス構成情報だけでなく、予告情報が存在する場合は予告情報の示す構成変化後のサービス構成情報も参照して所望サービスが存在するかチェックする。そして、所望サービスが現在放送中のサービスについてのサービス構成情報には無いが、予告情報には存在したとき、構成変化を待って所望サービスを出力させる。この結果、ＤＡＢ放送信号中のサービス構成情報をチェックする際、現在放送中のサービスについてのサービス構成情報だけ参照していた場合には、直後に当該ＤＡＢ放送で所望サービスが始まる場合に見逃してしまっていたが、そのようなミスがなくなる。【選択図】      図２
2004253829.tif 000002
【特許請求の範囲】
【請求項１】
一つの搬送周波数に複数のサービスが多重化された多重化放送を受信し、所望のサービスの音声または情報を出力したり、サービス構成情報を抽出して出力したりする受信手段を備えた放送受信装置において、
検索対象の所望のサービスを選択する選択手段と、
受信手段が出力したサービス構成情報の中にあらたなサービス構成に変化する予告情報があるか否か判別する判別手段と、
選択手段で所望サービスが選択されると、受信手段を制御して所定の帯域内に存在する複数の多重化放送に順に同調させ、受信手段が或る多重化放送を受信すると、その多重化放送から受信されたサービス構成情報をチェックし、現在放送中のサービス構成情報の中に所望のサービスがあれば当該或る多重化放送への同調を継続させて所望サービスを再生出力させ、現在放送中のサービス構成情報の中に所望のサービスが無く予告情報もなければ次の多重化放送に同調させ、現在放送中のサービス構成情報の中に所望のサービスは無く予告情報はあるが予告情報の中にも所望サービスが無いとき次の多重化放送に同調させ、現在放送中のサービス構成情報の中に所望のサービスは無いが予告情報が有りかつ予告情報の中に所望サービスが有るとき、当該或る多重化放送への同調を継続させ所望サービスの放送が始まるのを待って所望サービスを再生させるサービス検索制御手段と、
を備えたことを特徴とする放送受信装置。
【請求項２】
一つの搬送周波数に複数のサービスが多重化された多重化放送を受信し、所望のサービスを再生したり、サービス構成情報を抽出して出力したりする受信手段を備えた放送受信装置において、
所望サービスが選択されると、受信手段を制御して所定の帯域内に存在する複数の多重化放送に順に同調させ、
受信手段が或る多重化放送を受信すると、その多重化放送から受信されたサービス構成情報をチェックし、現在放送中のサービス構成情報の中に所望のサービスがあれば当該或る多重化放送への同調を継続させて所望サービスを再生出力させ、現在放送中のサービス構成情報の中に所望のサービスが無く予告情報もなければ次の多重化放送に同調させ、現在放送中のサービス構成情報の中に所望のサービスは無く予告情報はあるが予告情報の中にも所望サービスが無いとき次の多重化放送に同調させ、現在放送中のサービス構成情報の中に所望のサービスは無いが予告情報が有りかつ予告情報の中に所望サービスが有るとき、当該或る多重化放送への同調を継続させ所望サービスの放送が始まるのを待って所望サービスを再生させるようにしたこと、
を特徴とする放送受信方法。
【発明の詳細な説明】
【０００１】
【発明の属する技術分野】
本発明は、放送受信装置、放送受信方法に係り、とくに例えばＤＡＢ（Ｄｉｇｉｔａｌ  Ａｕｄｉｏ  Ｂｒｏａｄｃａｓｔ  ）のような一つの搬送周波数に複数のサービス（音声番組、天候・交通等の情報番組）が多重化された多重化放送を受信する放送受信装置、放送受信方法に関する。
【０００２】
【従来の技術】
移動体に高音質のラジオ番組を提供するＤＡＢが欧州で実用化されている。ＤＡＢは、多数の音声番組や天候情報または交通情報を随時受信できる利点がある。
現在のＤＡＢの各放送チャンネルは、テレビジョン放送の各チャンネルに割り当てられた受信周波数間の空き周波数が利用されている。各放送チャンネルに対応した搬送周波数群をアンサンブルといい、各アンサンブルには複数のサービスが多重化されている。１つのアンサンブルよる多重化放送は図４に示す如くＤＡＢ伝送フレームにより構成されており、この内、ＭＳＣ（Ｍａｉｎ  Ｉｎｆｏｒｍａｔｉｏｎ  Ｃｈａｎｎｅｌ；メイン情報チャンネル）には各サービスの実体データが含まれており、ＦＩＣ（Ｆｉｒｓｔ  Ｉｎｆｏｒｍａｔｉｏｎ  Ｃｈａｎｎｅｌ  ；ファースト情報チャンネル）にはアンサンブル識別情報、放送に含まれるサービスの構成を示すサービス構成情報等のＤＡＢ放送管理情報が含まれている。
【０００３】
ところで、ＤＡＢでは放送の途中で任意にサービスの構成（サービス数、音声のビットレート）を変化させることが許されており、これをＭＲＣ（Ｍｕｌｔｉ  Ｒｅ−Ｃｏｎｆｉｇｕｒａｔｉｏｎ；多重化再構成）と呼ぶ。ＭＲＣ機能を図５を参照して説明すると、現在放送中のサービス構成がサービスＡ、Ｂ、Ｃであり、ｔＳ  のタイミングでサービスＡ、Ｂ、Ｃの構成に変化する場合を考える。サービス構成情報は構成変化が起きる６秒のタイミングｔＰ  より以前であれば現在放送中のサービスＡ，Ｂ，Ｄについての構成情報だけである。ｔＰ  のタイミングになると現在放送中のサービスのサービス構成情報に加えて、構成変化後のサービスＡ，Ｂ，Ｄの構成情報を予告する予告情報と、構成変化までの時間情報が合わせて送信される。そして、構成変化が起きたあとは、予告情報はなくなり再び現在放送中のサービスＡ，Ｂ，Ｄについてのサービス構成情報だけとなる。このようなＭＲＣの機能の詳細は特開平１１−６８５９７号公報に記載されている。
【０００４】
図６にＤＡＢ放送受信装置の一般的な構成を示す。１はアンテナ、２はＤＡＢ受信部であり、可変の受信周波数によりＤＡＢ放送帯の内の任意の１つのアンサンブルに同調してＤＡＢ放送信号（多重化放送信号）を受信し、ＦＩＣに含まれるＤＡＢ放送管理情報（サービス構成情報等）を解読して出力したり、ユーザ所望の音楽番組の音声を再生出力したり、ユーザ所望の天候情報または交通情報を抽出して出力したりする。３は選択されたサービスに関する情報や天候情報または交通情報等を表示する表示部、４は操作部であり、所望サービスの選択操作をする。５はコントロール部であり、操作部４で所望サービスが選択されると、各部を制御してユーザ所望のサービスに係る音声、天候情報または交通情報を出力させる。
【０００５】
図７はコントロール部５による従来のサービス検索処理を示すフローチャートであり、操作部４で所望サービスが選択されると、コントロール部５はＤＡＢ受信部２を制御しまず所定のＤＡＢ帯域内の一番周波数の低い最初のアンサンブルの周波数に同調させる（ステップＳ１０、Ｓ１１）。そして、ＤＡＢ受信部２でＤＡＢ放送信号が受信できたかチェックする（ステップＳ１２）。できなければＤＡＢ帯域内の一番周波数の高いアンサンブルまで検索したかチェックし（ステップＳ１３）、ここではＮＯなので周波数が１段高い次のアンサンブルの周波数に同調させる（ステップＳ１４、Ｓ１１）。そして、ＤＡＢ受信部２でＤＡＢ放送信号が受信できたかチェックする（ステップＳ１２）。今度はできた場合、ＤＡＢ受信部２でＤＡＢ放送管理情報が解読されるのを待ち（ステップＳ１５）、解読されたら入力して現在放送中のサービスについてのサービス構成情報を参照して所望サービスが現在放送中かチェックする（ステップＳ１６）。ＮＯであれば再びＤＡＢ受信部２を制御し周波数が１段高いチャンネルに係る１つのアンサンブルの周波数に同調させるが（ステップＳ１３、Ｓ１４、Ｓ１１）、ステップＳ１６でＹＥＳであればＤＡＢ受信部２に指示して所望サービスが音声番組であれば所望番組の音声を再生して出力させ、所望サービスが天候情報または交通情報であれば、所望情報を抽出させて入力し、表示部３に該所望情報を表示させる（ステップＳ１７）。これにより、ユーザ所望のサービスを出力することができる。
【０００６】
【発明が解決しようとする課題】
ところで、操作部４で選択された所望サービスＤの検索途中に或るＤＡＢ放送を受信し、所望サービスが現在放送中かチェックした際（ステップＳ１６）、該ＤＡＢ放送で所望サービスＤの放送が開始する直前３秒前であったとき（図５のｔｘ  参照）、現在放送中のサービスはＡ、Ｂ、ＣだけありＮＯとなってしまうので、次のアンサンブルの受信に移行してしまう。このため、所望サービスの検索ミスを侵してしまい、ＤＡＢ帯域の一番高い周波数のアンサンブルまで検索したあと、再びＤＡＢ帯域の一番低い周波数のアンサンブルに戻って検索し直すので、所望サービスの検索が終わるまでに長い時間待たされてしまうという問題があった。
本発明は上記した問題に鑑み、所望サービスの検索を迅速にできる放送受信装置、放送受信方法を提供することを、その目的としている。
【０００７】
【課題を解決するための手段】
請求項１記載の放送受信装置では、一つの搬送周波数に複数のサービスが多重化された多重化放送を受信し、所望のサービスの音声または情報を出力したり、サービス構成情報を抽出して出力したりする受信手段を備えた放送受信装置において、検索対象の所望のサービスを選択する選択手段と、受信手段が出力したサービス構成情報の中にあらたなサービス構成に変化する予告情報があるか否か判別する判別手段と、選択手段で所望サービスが選択されると、受信手段を制御して所定の帯域内に存在する複数の多重化放送に順に同調させ、受信手段が或る多重化放送を受信すると、その多重化放送から受信されたサービス構成情報をチェックし、現在放送中のサービス構成情報の中に所望のサービスがあれば当該或る多重化放送への同調を継続させて所望サービスを再生出力させ、現在放送中のサービス構成情報の中に所望のサービスが無く予告情報もなければ次の多重化放送に同調させ、現在放送中のサービス構成情報の中に所望のサービスは無く予告情報はあるが予告情報の中にも所望サービスが無いとき次の多重化放送に同調させ、現在放送中のサービス構成情報の中に所望のサービスは無いが予告情報が有りかつ予告情報の中に所望サービスが有るとき、当該或る多重化放送への同調を継続させ所望サービスの放送が始まるのを待って所望サービスを再生させるサービス検索制御手段と、を備えたことを特徴としている。
【０００８】
請求項２記載の放送受信方法では、一つの搬送周波数に複数のサービスが多重化された多重化放送を受信し、所望のサービスを再生したり、サービス構成情報を抽出して出力したりする受信手段を備えた放送受信装置において、所望サービスが選択されると、受信手段を制御して所定の帯域内に存在する複数の多重化放送に順に同調させ、受信手段が或る多重化放送を受信すると、その多重化放送から受信されたサービス構成情報をチェックし、現在放送中のサービス構成情報の中に所望のサービスがあれば当該或る多重化放送への同調を継続させて所望サービスを再生出力させ、現在放送中のサービス構成情報の中に所望のサービスが無く予告情報もなければ次の多重化放送に同調させ、現在放送中のサービス構成情報の中に所望のサービスは無く予告情報はあるが予告情報の中にも所望サービスが無いとき次の多重化放送に同調させ、現在放送中のサービス構成情報の中に所望のサービスは無いが予告情報が有りかつ予告情報の中に所望サービスが有るとき、当該或る多重化放送への同調を継続させ所望サービスの放送が始まるのを待って所望サービスを再生させるようにしたこと、を特徴としている。
【０００９】
【発明の実施の形態】
図１は本発明の実施の形態に係るＤＡＢ放送受信装置の構成を示すブロック図であり、図６と同一の構成部分には同一の符号が付してある。
図１において、２はＤＡＢ受信部であり、可変の受信周波数によりＤＡＢ放送帯の内の任意の１つのアンサンブルに同調してＤＡＢ放送信号（多重化放送信号）を受信し、ＦＩＣに含まれるＤＡＢ放送管理情報（サービス構成情報等）を解読して出力したり、ユーザ所望の音楽番組の音声を再生出力したり、ユーザ所望の天候情報または交通情報を抽出して出力したりする。３は選択されたサービスに関する情報や天候情報または交通情報等を表示する表示部、４は操作部であり、所望サービスの選択操作をする。５Ａはコントロール部であり、操作部４で所望サービスが選択されると、各部を制御してユーザ所望のサービスに係る音声、天候情報または交通情報を出力させる。
【００１０】
コントロール部５Ａはサービス検索するためにＤＡＢ受信部２で受信されたサービス構成情報をチェックする際、現在放送中のサービスについてのサービス構成情報だけでなく、予告情報が存在する場合は予告情報の示す構成変化後のサービス構成情報も参照して所望サービスが存在するかチェックする。そして、所望サービスが現在放送中のサービスについてのサービス構成情報には無いが、予告情報には存在したとき、構成変化を待って所望サービスを出力させる。
その他の構成部分は図６と全く同一に構成されている。
【００１１】
図２はコントロール部５Ａによるサービス検索処理を示すフローチャート、図３はサービス検索処理の説明図であり、以下、これらの図を参照して上記した実施の形態の動作を説明する。
操作部４で所望サービス、たとえばサービスＤが選択されると、コントロール部５はＤＡＢ受信部２を制御しまず所定のＤＡＢ帯域内の一番周波数の低い最初のアンサンブルの周波数に同調させる（ステップＳ１０、Ｓ１１）。そして、ＤＡＢ受信部２でＤＡＢ放送信号が受信できたかチェックする（ステップＳ１２）。できなければＤＡＢ帯域内の一番周波数の高いアンサンブルまで検索したかチェックし（ステップＳ１３）、ここではＮＯなのでＤＡＢ受信部２を制御し周波数が１段高い次のアンサンブルに同調させる（ステップＳ１４、Ｓ１１）。そして、再びＤＡＢ受信部２でＤＡＢ放送信号が受信できたかチェックする（ステップＳ１２）。今度はできた場合、ＤＡＢ受信部２でＤＡＢ放送管理情報が解読されるのを待ち（ステップＳ１５）、解読されたら入力してまず現在放送中のサービスについてのサービス構成情報を参照して所望サービスが現在放送中かチェックする（ステップＳ１６）。このとき２番目のアンサンブルでは図３（１）の如く、現在サービスＥ、Ｆ、Ｇが放送中であり、その後暫く構成変化がないとする。ステップ１６での判断がｔ１  のタイミングであったとすると、ステップＳ１６でＮＯと判断する。このとき続いてＤＡＢ放送管理情報にサービス構成変化の予告情報が存在するかチェックする（ステップＳ１８）。ここでもＮＯとなるので、ＤＡＢ受信部２を制御し周波数が１段高い次のアンサンブルに同調させる（ステップＳ１３、Ｓ１４、Ｓ１１）。
【００１２】
そして、再びＤＡＢ受信部２でＤＡＢ放送信号が受信できたかチェックする（ステップＳ１２）。今度もできた場合、ＤＡＢ受信部２でＤＡＢ放送管理情報が解読されるのを待ち（ステップＳ１５）、解読されたら入力してまず現在放送中のサービスについてのサービス構成情報を参照して所望サービスが現在放送中かチェックする（ステップＳ１６）。このとき３番目のアンサンブルでは図３（２）の如く、現在サービスＨ、Ｉ、Ｊが放送中であるが、サービスＨ、Ｉ、Ｄへ構成変化する直前であり、予告情報と構成変化までの時間情報も合わせて放送されている最中であったとする。ステップ１６での判断がｔｘ  のタイミングであったとすると、ステップＳ１６でＮＯと判断する。このとき続いてＤＡＢ放送管理情報にサービス構成変化の予告情報が存在するかチェックする（ステップＳ１８）。今度はＹＥＳとなるので、予告情報の示す構成変化後のサービス構成の中に所望サービスが存在するかチェックする（ステップＳ１９）。ＮＯであれば、再びＤＡＢ受信部２を制御し周波数が１段高いチャンネルに係る１つのアンサンブルの周波数に同調させるが（ステップＳ１３、Ｓ１４、Ｓ１１）、ここではステップＳ１９でＹＥＳとなる。このとき、ＤＡＢ受信部２からの新たなＤＡＢ放送管理情報の入力と構成変化までの残り時間が零になったかのチェックを繰り返し、構成変化が起きた時点（図３（２）のｔＳ  参照）でステップＳ２０でＹＥＳと判断し、ＤＡＢ受信部２に指示して所望サービスが音声番組であれば所望番組の音声を再生して出力させ、所望サービスが天候情報または交通情報であれば、所望情報を抽出させて入力し、表示部３に該所望情報を表示させる（ステップＳ１７）。これにより、ユーザ所望のサービスを迅速に出力させることができる。
【００１３】
この実施の形態によれば、コントロール部５Ａはサービス検索するためにＤＡＢ受信部２で受信されたＤＡＢ放送信号中のサービス構成情報をチェックする際、現在放送中のサービスについてのサービス構成情報だけでなく、予告情報が存在する場合は予告情報の示す構成変化後のサービス構成情報も参照して所望サービスが存在するかチェックする。そして、所望サービスが現在放送中のサービスについてのサービス構成情報には無いが、予告情報には存在したとき、構成変化を待って所望サービスを出力させる。この結果、ＤＡＢ放送信号中のサービス構成情報をチェックする際、現在放送中のサービスについてのサービス構成情報だけ参照していた場合には、直後に当該ＤＡＢ放送で所望サービスが始まる場合に見逃してしまっていたが、そのようなミスがなくなり速やかに所望サービスの検索を完了できる。
【００１４】
なお、上記した実施の形態では欧州で実用化されているＤＡＢ放送を受信対象とする場合を例に挙げて説明したが、本発明は何らこれに限定されるものでなく、他の種類の多重放送を受信対象とする場合にも同様に適用できるのは当然である。
【００１５】
【発明の効果】
この発明によれば、所望サービス検索のために多重放送中のサービス構成情報をチェックする際、現在放送中のサービスについてのサービス構成情報だけでなく構成変化が起きる前に送信される予告情報も合わせてチェックするので、検索ミスがなくなり速やかに所望サービスの検索を完了できる。
【図面の簡単な説明】
【図１】本発明の一つの実施の形態を示すＤＡＢ放送受信装置の構成を示すブロック図である。
【図２】図１中のコントロール部のサービス検索処理を示すフローチャートである。
【図３】図１のＤＡＢ放送受信装置によるサービス検索動作の説明図である。
【図４】ＤＡＢ伝送フレームの説明図である。
【図５】ＤＡＢ放送におけるサービス再構成機能の説明図である。
【図６】従来の一般的なＤＡＢ放送受信装置の構成を示すブロック図である。
【図７】図６中のコントロール部のサービス検索処理を示すフローチャートである。
【符号の説明】
２  ＤＡＢ受信部                  ３  表示部
４  操作部                        ５Ａ  コントロール部
【図１】
2004253829.tif 000003
【図２】
2004253829.tif 000004
【図３】
2004253829.tif 000005
【図４】
2004253829.tif 000006
【図５】
2004253829.tif 000007
【図６】
2004253829.tif 000008
【図７】
2004253829.tif 000009